(57)【要約】      （修正有）【課題】構造体等の表面又は内部の剥離等の劣化を打音で判定するにあたって、近年では、電磁的方法による打音解析が進展し、熟練者の聴覚に依存しない判定装置の開発が進んでいる。当該装置を有効に稼働させるために、建造物の構造体等における打音情報をより短時間で効率的に採取し、電磁的な判定装置に受け渡す打撃器具を提供する。【解決手段】打撃器具は、把っ手１と略コの字形状のフレーム２とから成り、フレーム２の端の回転軸３には、円体基部４１ａ、４１ｂと円体基部４１ａ、４１ｂの円周上に設けられた複数の突起部４２ａ、４２ｂとで形成される２以上の回転打撃体４ａ、４ｂが軸支された構造である。複数の回転打撃体４ａ、４ｂをもって壁部等を走行し、複数の走行方向の打音情報を同時に採取することが可能であり、複数の回転打撃体４ａ、４ｂの突起部４２ａ、４２ｂが同時に打撃しないように一定のズレ角度を持たせて軸支したことを特徴とする。【選択図】図１
0003228201.tif 000002
【実用新案登録請求の範囲】
【請求項１】
建造物の躯体、壁部、床部等に張り付けられたタイルの表面又は内部に罅、剥離、膨張、空隙等の劣化が生じているか否かを表面側から点検する器具であって、
把っ手と略コの字形状のフレームとから成り、
前記フレームの端部には回転軸が装着され、円体基部と前記円体基部の円周上に設けられた複数の突起部とで形成される２以上の回転打撃体が前記回転軸に固着して軸支された構造を特徴とする打撃器具。
【請求項２】
前記２以上の回転打撃体は、突起部が重なって同時に打撃しないように一定のズレ角度をもって固着して軸支されていることを特徴とする請求項１記載の打撃器具
【請求項３】
前記フレームに１以上の集音マイクが装備されていることを特徴とする請求項１又は２記載の打撃器具。
【考案の詳細な説明】
【技術分野】
【０００１】
本考案は、建造物の躯体、壁部、床部等（以下、構造体等と略す）に張り付けられたタイルの表面又は内部に罅、剥離、膨張、空隙等の劣化が生じているか否かを、表面側から非破壊で点検するために用いられる点検器具に関する。
【背景技術】
【０００２】
建造物本体の構造体等に張り付けられたタイルの表面又は内部に罅、空隙、剥離、膨張等の劣化が生じていると、そのタイル及びその周辺部が脱落して大事故を引き起こすおそれがある。しかし、生じている劣化は、構造体等の表面を目視しただけでは見つけることが難しい。
【０００３】
そこで、一般に打音法と呼ばれるが、構造体等の表面を点検用ハンマーで叩打して、その打音（反響音）の微妙な違いに基づいて熟練者の聴覚により劣化箇所と健全箇所とを判別することが広く行われている。その有用な点検器具として特許文献１のような器具が提案され打音作業の効率化が図られている。
【先行技術文献】
【特許文献】
【０００４】
【特許文献１】特許第３７４２０３２
【特許文献２】特開２０１８−９６７６３
【考案の概要】
【考案が解決しようとする課題】
【０００５】
熟練者が劣化部分の異音性を判定するという人間系の判定方法は、点検すべき構造物等も増加しており、熟練者の育成を踏まえても人員を確保することが困難となってきている。
【０００６】
近年では、電磁的方法による打音解析が進展し、熟練者の聴覚に依存しない判定装置の開発が進んでおり、本願考案者も特許文献２に示すような判定装置を開発している。しかしながら、当該装置を有効に稼働させるには、より効率的な打音情報の採取が求められるという課題に直面している。
【０００７】
本考案は、前記した課題を解消すべくなされたもので、建造物の構造体等における打音情報を、より短時間で効率的に採取し電磁的な判定装置に受け渡す器具を提供することにある。
【課題を解決するための手段】
【０００８】
前記の目的を達成すべく、本願考案は、把っ手と略コの字形状のフレームとから成り、前記フレームの端には回転軸が装着され、前記回転軸には、円体基部と前記円体基部の円周上に設けられた複数の突起部とで形成された２以上の回転打撃体が固着して軸支された構造を特徴とする打撃器具である。すなわち、複数の回転打撃体をもって壁部等を走行し、集音マイクをもって打音を採取しようとするものである。
【０００９】
また、複数の回転打撃体の突起部が同時に打撃しないように、隣接する回転打撃体は、一定のズレ角度を持たせて軸支することで、壁部等の複数の走行方向において同時に打音を採取することを可能とする。
【考案の効果】
【００１０】
本器具により被検査対象の構造体等を走行させて複数の回転打撃体により転打音を得ることができる。従来のハンマー等に比して、短時間で効率良く打音の採取が行え、作業時間の短縮を向上させながら電磁的判定装置の効果的な稼働を図ることができる。
【図面の簡単な説明】
【００１１】
【図１】本考案に係る打撃器具の一実施形態を示す斜視図。
【図２】図１に示される打撃器具の側面図。
【図３】本打撃器具を走行して得られる打音波形図
【考案を実施するための形態】
【００１２】
以下、本考案の実施の形態について、図1および図2を参照しながら説明する。
【実施例】
【００１３】
本例の打撃器具は、棒状の把っ手１とコの字形状のフレーム2とから成り、前記フレーム2は、端部に軸受21を有し、回転軸3が装着される。
【００１４】
なお、本例において、把っ手１はフレーム2の直行方向に棒状に取付られている形態を示しているが、把持する形状や取付位置は多様であり、またフレームもU字形、三角形状等の多様な形態を採用できる。
【００１５】
前記回転軸3には、円体基部A（41a）と前記円体基部Aの円周上に均等間隔で設けられた8つの突起部A（42a）とで形成される回転打撃体A（4a）が、固着して軸支されている。回転打撃体B（4b）は前記回転打撃体Aと同一形態であり、前記回転打撃体AとBは一定の間隔をもって軸支されている。１つの回転打撃体の突起部の数は５ないし８が好適である。
【００１６】
また、回転打撃体AとBの近傍のフレーム位置には、２つの集音マイク5が配備されている。なお、集音マイクは１つであってもよく、配備位置は採音精度を勘案し変更してもよい。
【００１７】
ここで、１つの回転打撃体の突起部の頂点を結べば、多角形の回転体が形成され、隣接した回転打撃体AとBが転動して構造体等を走行することで、突起部AとBが構造体等を転打し、集音マイクが打音を採取する。２つの回転打撃体の走行により、２方向の離隔した構造体等の領域における打音を同時に採取することができる。
【００１８】
しかし、２つの回転打撃体の突起部AとBの打撃が同時に生じれば、打音が重なり正確な打音情報を採取できない。そこで、回転打撃体AとBは、それぞれの突起部の位置が重ならないように一定のズレ角度θ（図２）をもって回転軸3に固着される。
【００１９】
本実施例では、1つの回転打撃体には8つの突起部が均等間隔で設けられ、突起部間の軸点からの角度は４５°である。よって、２つの隣接する回転打撃体の突起部42aと42bとのずれ角度θは、４５°／２が好適である。また、回転打撃体AとBの隣接する間隔は、構造体等に張り付けられたタイルの大きさや配置を考慮して定める。
【００２０】
図３は、２つの走行方向の採取データの打音波形を示す。なお、本実施例は２つの回転打撃体を装備した例であるが、軸長、重さ、大きさ等の機動性を考慮して３つ以上の回転打撃体を装備してもよい。
【符号の説明】
【００２１】
1  把っ手
2  フレーム
21  軸受
3  回転軸
4a  回転打撃体A
41a  円体基部A
42a  突起部A
4b  回転打撃体B
41b  円体基部B
42b  突起部B
5  集音マイク
θ  ズレ角度
【図１】
0003228201.tif 000003
【図２】
0003228201.tif 000004
【図３】
0003228201.tif 000005
【手続補正書】
【提出日】令和2年7月10日(2020.7.10)
【手続補正１】
【補正対象書類名】実用新案登録請求の範囲
【補正対象項目名】請求項１
【補正方法】変更
【補正の内容】
【請求項１】
建造物の躯体、壁部、床部に張り付けられたタイルの表面又は内部に罅、剥離、膨張、空隙の劣化が生じているか否かを表面側から点検する器具であって、
把っ手と略コの字形状のフレームとから成り、
前記フレームの端部には回転軸が装着され、円体基部と前記円体基部の円周上に設けられた複数の突起部とで形成される２以上の回転打撃体が前記回転軸に固着して軸支された構造を特徴とする打撃器具。